(57)【要約】【課題】再生動作時において極力消費電力を抑え、省電力化を図れる機能を有する光ディスク再生装置を提供する。【解決手段】スピンドルモータ駆動回路５１が作動して、スピンドルモータ２の回転数が所定の回転数に到達した後、所定時間経過後に、スピンドルモータサーボ回路５１１を動作停止させ、この後も、光ピックアップ３によってミニディスク１からのデータ信号を読み続け、信号処理回路７１で復調し続けるように制御を行うシステムコントローラ１１を備えたので、スピンドルモータサーボ回路５１１が動作停止され、ミニディスク１が慣性によって回転している間も、光ディスクからのデータ信号を復調し続けることができ、ミニディスク１が慣性により回転している間は、消費電力が少なくなり、省電力化を図ることができる。【選択図】      図１
2005004896.tif 000002
【特許請求の範囲】
【請求項１】
光ディスクに記録された情報を再生する光ディスク再生装置において、光ディスクを回転させるスピンドルモータの回転数が、所定の回転数に到達した後、所定時間経過後に、前記スピンドルモータのサーボ手段を動作停止させ、この後も、前記光ディスクに記録された情報を復調できるように制御を行うシステムコントローラを備えたことを特徴とする光ディスク再生装置。
【請求項２】
光ディスクに記録された情報を光学的に読み取り電気信号に変換する光ピックアップと、この光ピックアップの出力信号に基づいてデータ信号およびサーボ信号を生成するＲＦアンプと、前記光ディスクを回転させるスピンドルモータと、前記サーボ信号に基づいて前記スピンドルモータおよび前記光ピックアップをそれぞれ制御するための各サーボ制御信号を生成するサーボ制御信号生成手段と、前記サーボ制御信号に基づいて光ピックアップをサーボ制御する光ピックアップサーボ手段と、前記サーボ制御信号に基づいてスピンドルモータをサーボ制御するスピンドルモータサーボ手段と、前記ＲＦアンプからのデータ信号であるＲＦ信号に基づいて前記光ディスクの記録情報を復調する復調手段と、前記復調された記録情報を格納するメモリと、このメモリから記録情報のデータ信号を読み出して伸長／エラー訂正を含む処理を行う伸長処理手段と、前記スピンドルモータを駆動制御するスピンドルモータ駆動手段と、前記スピンドルモータの回転数を検出する回転数検出手段と、前記ＲＦアンプからのデータ信号に基づいて再生クロックを生成して該再生クロックを制御することにより前記ＲＦアンプからのデータ信号を読み取り可能とするためのＰＬＬ回路とを備えた光ディスク再生装置において、前記スピンドルモータ駆動手段が作動して、前記スピンドルモータの回転数が所定の回転数に到達したことを前記回転数検出手段により検出された後、所定時間経過後に、前記スピンドルモータサーボ手段を動作停止させ、この後も、前記光ピックアップによって前記光ディスクからのデータ信号を読み続け、前記ＰＬＬ回路によって追従させながら前記復調手段で復調し続けるように制御を行うシステムコントローラを備えたことを特徴とする光ディスク再生装置。
【請求項３】
前記スピンドルモータ駆動手段が作動して、前記スピンドルモータの回転数が所定の回転数に到達したことを前記回転数検出手段により検出された後、所定時間経過後に、前記スピンドルモータサーボ手段を動作停止させ、この後も、前記光ピックアップによって前記光ディスクからのデータ信号を読み続け、前記ＰＬＬ回路によって追従させながら前記復調手段で復調し、この復調されたデータ信号を前記メモリに格納し、この格納量が所定量に達した場合に、前記光ピックアップ、前記ＲＦアンプ、前記サーボ制御信号生成手段、前記光ピックアップサーボ手段、その他サーボに関連する手段、および前記ＰＬＬ回路への電源の供給を停止させるように制御を行うシステムコントローラを備えたことを特徴とする請求項２に記載の光ディスク再生装置。
【請求項４】
前記スピンドルモータ駆動手段が作動して、前記スピンドルモータの回転数が所定の回転数に到達したことを前記回転数検出手段により検出された後、所定時間経過後に、前記スピンドルモータサーボ手段を動作停止させ、この後も、前記光ピックアップによって前記光ディスクからのデータ信号を読み続け、前記ＰＬＬ回路によって追従させながら前記復調手段で復調し続ける際に、この復調されたデータ信号を前記メモリに格納し、この格納量が所定量に達するまでに、予め設定された回転数まで前記光ディスクの回転数が低下してしまった場合に、前記メモリへの格納量が所定量に達するまで、前記スピンドルモータサーボ手段を再度動作させ、前記メモリに所定量のデータを格納するように制御を行うシステムコントローラを備えたことを特徴とする請求項２に記載の光ディスク再生装置。
【請求項５】
前記スピンドルモータ駆動手段が作動して、前記スピンドルモータの回転数が所定の回転数に到達したことを回転数検出手段により検出された後、所定時間経過後に、前記スピンドルモータサーボ手段を動作停止させ、この後も、前記光ピックアップによって前記光ディスクからのデータ信号を読み続け、前記ＰＬＬ回路によって追従させながら前記復調手段で復調し、この復調されたデータを前記メモリに格納しようとする場合、復調されたデータ信号にエラーが多いと判断された場合、予め設定された回転数まで、前記光ディスクの回転数が低下しなくとも、前記スピンドルモータサーボ手段を再度動作させるように制御を行うシステムコントローラを備えたことを特徴とする請求項２に記載の光ディスク再生装置。
【請求項６】
前記スピンドルモータ駆動手段が作動して、前記スピンドルモータの回転数が所定の回転数に到達したことを前記回転数検出手段により検出された後、所定時間経過する前に、復調されたデータ信号にエラーが多いと判断された場合に、前記スピンドルモータサーボ手段を動作停止せず、そのまま駆動させたままとするように制御を行うシステムコントローラを備えたことを特徴とする請求項２に記載の光ディスク再生装置。
【発明の詳細な説明】
【０００１】
【発明の属する技術分野】
本発明は、光ディスクに記録された音声／音楽データ等の情報信号を再生する光ディスク再生装置に関する。
【０００２】
【従来の技術】
従来から光ディスク再生装置として、記録媒体である光ディスクとして例えばミニディスク（ＭＤ）を再生するＭＤ再生装置が知られている。このＭＤ再生装置は、ミニディスクにデジタル記録された音声／音楽データ等の情報信号を再生するデジタルオーディオ機器である。そして、ミニディスクにデジタル記録された情報信号には、時間軸圧縮が施されており、そのため、ＭＤ再生装置は、ミニディスクから読み出した情報信号を時間軸伸長した後にデジタル／アナログ変換することで、元の音声／音楽データ等を再生する。
【０００３】
このＭＤ再生装置の場合、ミニディスクの回転が１倍速の場合、例えば  １．４Ｍビット／秒の処理速度で、ミニディスクからメイン情報である音声／音楽データを読み出し、信号処理手段にて、例えば  ０．３Ｍビット／秒の処理速度でデータの伸長を行う。したがって、このＭＤ再生装置においては、光ピックアップのデータ読み取り速度と時間伸長して再生されるデータの送り出し速度との違いを吸収するために、ミニディスクより読み取った時間圧縮された音声／音楽データを、一旦、Ｄ−ＲＡＭのような半導体メモリに格納し、その半導体メモリから例えば０．３Ｍビット／秒の処理速度にてデータを読み出して再生するようになっている。
【０００４】
また、このＭＤ再生装置においては、光ピックアップのデータ読み取り速度と時間伸長して再生されるデータの送り出し速度との差を利用して、ミニディスクから読み取った時間圧縮された音声／音楽データを、前記半導体メモリに常に所定のデータ量以上記憶しておくようにしている。
【０００５】
このように所定のデータ量以上記憶しておくことにより、ＭＤ再生装置の機器本体に振動等の外乱が印加されて光ピックアップが正しいトラックより外れた場合でも、前記半導体メモリ内のデータが無くなる前に、光ピックアップを正しいトラック位置に戻せば、再生音が途切れないようにすることができる。前記のような半導体メモリは、所謂、ショック・プルーフ・メモリと呼ばれ、携帯用ＭＤ再生装置の場合、例えば１６ＭビットのＤ−ＲＡＭが一般的に使用されている。
【０００６】
このようなショック・プルーフ・メモリは、再生中、その容量（記憶領域）の一部が該メモリのデータ入出力のデータ転送速度の違いを吸収するワークＲＡＭとして働き、また、その容量の別の一部が再生しているミニディスクのＵ−ＴＯＣ（Ｕｓｅｒ  Ｔａｂｌｅ  Ｏｆ  Ｃｏｎｔｅｎｔｓ）情報等の情報を格納し、その残りの容量がショック・プルーフ用として利用されている。
【０００７】
即ち、ショック・プルーフ・メモリが例えば１６ＭビットのＤ−ＲＡＭであって、ミニディスクの回転が１．５倍速の場合、ミニディスクからのデータの読み出しと時間軸伸長との処理速度の違いは、１．５×１．４−０．３＝１．８ビット／秒であり、ミニディスクからのデータの読み出し開始後、約９秒にて該メモリは容量一杯となり、再生時間にして約４８秒のデータが記憶される。
【０００８】
ショック・プルーフ・メモリへの記憶データが該メモリの容量一杯となった場合、その後、所定時間、ミニディスクから読み出されたデータの該ショック・プルーフ・メモリへの記憶は行われず、該メモリからのデータの読み出しのみが行われる。これにより、ショック・プルーフ・メモリの容量に空き領域が生じるので、この空き領域に再びミニディスクから読み出されたデータが順次格納され、データがメモリ容量一杯になったところで、再び、該ショック・プルーフ・メモリからのデータの読み出しのみが行われる。以下、同様な動作が繰り返される。
【０００９】
一方、持ち運びの容易な携帯用のＭＤ再生装置では、このＭＤ再生装置の電源として、充電池や乾電池が使用される。この場合、電池交換を行わないで、連続使用できる時間が限定されるため、可能な限り、消費電力を抑えて、長時間使用が可能となるような構成が望まれるため、ショック・プルーフ・メモリの容量が一杯となった後、ミニディスクからのデータの読み出し、あるいは光ピックアップやスピンドルモータなどの動作を停止し、該メモリ内の記憶データが所定残量になるまで、時間軸伸長のみを行い、ミニディスクからのデータの空読みによる消費電力を低減できるような動作が行われている。
【００１０】
更に、消費電力低減のために、特許文献１に示される従来技術のように、光ディスクを回転させるためのスピンドルモータを、通常の線速度よりも速い速度にて回転させ、データを読むための光ディスクへのレーザー光の照射時間を短くすることで、省電力化を図っているものや、特許文献２に示される従来技術のように、光ディスクからのデータの読み込みを休止する休止モードでは、スピンドルモータを停止させるのではなく、再生モードの回転数よりも低くなるように設定して、光ディスクを回転させたままとし、スピンドルモータの完全停止からの起動による過度的な消費電力の低減を図っているものが知られている。
【００１１】
【特許文献１】
特開平１１−１４９７１６号公報
【特許文献２】
特開２０００−３４８４３１号公報
【００１２】
【発明が解決しようとする課題】
しかしながら、上記のような従来技術においては、データを読み込む期間では光ディスクを線速度一定、あるいは角速度一定にて回転させるため、スピンドルモータ駆動回路、スピンドルモータの回転数を検出する回転数検出手段、およびスピンドルモータサーボ回路を動作させ、メモリへのデータの格納量が所定量に達するまで、動作を継続させる必要があり、その間は、スピンドルモータの駆動のための電力を消耗するという課題が生じることになる。
【００１３】
本発明は、上記のような課題を解決するためになされたもので、再生動作時において極力消費電力を抑え、省電力化を図れる機能を有する光ディスク再生装置を提供することを目的とする。
【００１４】
【課題を解決するための手段】
上記目的を達成するため、本発明は、光ディスクに記録された情報を再生する光ディスク再生装置において、光ディスクを回転させるスピンドルモータの回転数が、所定の回転数に到達した後、所定時間経過後に前記スピンドルモータのサーボ手段を動作停止させ、この後も、前記光ディスクに記録された情報を復調できるように制御を行うシステムコントローラを備えたことを特徴とする光ディスク再生装置を提供する。
【００１５】
この構成においては、光ディスクに記録された情報を再生する際に、光ディスクを回転させるスピンドルモータの回転数が所定の回転数に到達すると、スピンドルモータのサーボ手段が動作停止され、この後、光ディスクは慣性によって回転し、光ディスクに記録された情報が復調可能になる。したがって、この構成の光ディスク再生装置によれば、光ディスクを回転させるスピンドルモータの回転数が所定の回転数に到達すると、スピンドルモータのサーボ手段が動作停止されるので、光ディスクが慣性によって回転している間は、消費電力が少なくなり省電力化を図ることができる。
【００１６】
また、本発明は、光ディスクに記録された情報を光学的に読み取り電気信号に変換する光ピックアップと、この光ピックアップの出力信号に基づいてデータ信号およびサーボ信号を生成するＲＦアンプと、前記光ディスクを回転させるスピンドルモータと、前記サーボ信号に基づいて前記スピンドルモータおよび前記光ピックアップをそれぞれ制御するための各サーボ制御信号を生成するサーボ制御信号生成手段と、前記サーボ制御信号に基づいて光ピックアップをサーボ制御する光ピックアップサーボ手段と、前記サーボ制御信号に基づいてスピンドルモータをサーボ制御するスピンドルモータサーボ手段と、前記ＲＦアンプからのデータ信号であるＲＦ信号に基づいて前記光ディスクの記録情報を復調する復調手段と、前記復調された記録情報を格納するメモリと、このメモリから記録情報のデータ信号を読み出して伸長／エラー訂正を含む処理を行う伸長処理手段と、前記スピンドルモータを駆動制御するスピンドルモータ駆動手段と、前記スピンドルモータの回転数を検出する回転数検出手段と、前記ＲＦアンプからのデータ信号に基づいて再生クロックを生成して該再生クロックを制御することにより前記ＲＦアンプからのデータ信号を読み取り可能とするためのＰＬＬ（Ｐｈａｓｅ  Ｌｏｃｋｅｄ  Ｌｏｏｐ）回路とを備えた光ディスク再生装置において、前記スピンドルモータ駆動手段が作動して、前記スピンドルモータの回転数が所定の回転数に到達したことを前記回転数検出手段により検出された後、所定時間経過後に、前記スピンドルモータサーボ手段を動作停止させ、この後も、前記光ピックアップによって前記光ディスクからのデータ信号を読み続け、前記ＰＬＬ回路によって追従させながら前記復調手段で復調し続けるように制御を行うシステムコントローラを備えたことを特徴とする光ディスク再生装置を提供する。
【００１７】
この構成においては、回転している光ディスクからデータ信号を読み出している時間、つまり、スピンドルモータサーボ手段のサーボＯＮ時間よりも短い時間だけ、例えば、従来のサーボＯＮ時間である９秒間の内、３秒間のみ、光ディスクを一定回転させ、この後は、スピンドルモータサーボ手段をＯＦＦして、慣性にて光ディスクを回転させ、この回転数を回転数検出手段により検出しながら、ＲＦアンプからのデータ信号により再生クロックを生成し、この再生クロックを制御し、ＲＦアンプからのデータ信号をＰＬＬ回路によって追従させながら、光ディスクから連続的に、時間的に間隔が伸びて読み出されるデータ信号を復調手段で復調し続けることができる。
【００１８】
したがって、この構成の光ディスク再生装置によれば、光ディスクを回転させるスピンドルモータの回転数が、所定の回転数に到達すると、スピンドルモータサーボ手段が動作停止され、光ディスクが慣性によって回転している間も、光ディスクからのデータ信号を復調し続けることができ、光ディスクが慣性によって回転している間は、消費電力が少なくなり、省電力化を図ることができる。
【００１９】
また、本発明は、スピンドルモータ駆動手段が作動して、スピンドルモータの回転数が所定の回転数に到達したことを回転数検出手段により検出された後、所定時間経過後に、スピンドルモータサーボ手段を動作停止させ、この後も、光ピックアップによって光ディスクからのデータ信号を読み続け、ＰＬＬ回路によって追従させながら復調手段で復調し、この復調されたデータ信号をメモリに格納し、この格納量が所定量に達した場合に、光ピックアップ、ＲＦアンプ、サーボ制御信号生成手段、光ピックアップサーボ手段、その他サーボに関連する手段、およびＰＬＬ回路への電源の供給を停止させるように制御を行うシステムコントローラを備えている。
【００２０】
この構成によれば、光ディスクから読み出されたデータ信号をメモリに格納して行き、この格納量が所定量に達した場合に、通常の間欠サーボ動作と同様に、メモリに格納されたデータを読み出し、伸長して、音声／音楽信号にする回路以外の構成要素（光ピックアップ、ＲＦアンプ、サーボ制御信号生成手段、光ピックアップサーボ手段、その他サーボに関連する手段、ＰＬＬ回路）の動作を停止させることにより、消費電力の低減を図ることができる。
【００２１】
また、本発明は、スピンドルモータ駆動手段が作動して、スピンドルモータの回転数が所定の回転数に到達したことを回転数検出手段により検出された後、所定時間経過後に、スピンドルモータサーボ手段を動作停止させ、この後も、光ピックアップによって光ディスクからのデータ信号を読み続け、ＰＬＬ回路によって追従させながら復調手段で復調し続ける際に、この復調されたデータ信号をメモリに格納し、この格納量が所定量に達するまでに、予め設定された回転数まで光ディスクの回転数が低下してしまった場合に、メモリへの格納量が所定量に達するまで、スピンドルモータサーボ手段を再度動作させ、メモリに所定量のデータを格納するように制御を行うシステムコントローラを備えている。
【００２２】
この構成によれば、この光ディスク再生装置を携帯用として使用した場合の携帯機器の姿勢などの何らかの原因により、メモリに格納されるデータの格納量が所定量に達しないうちに、光ディスクの回転数が下がってしまい、ＰＬＬ回路のロジックレンジを超えてしまうことによるデータ読み込み不可動作を防ぎ、確実なメモリへのデータの格納を行なうことができるようになる。
【００２３】
また、本発明は、スピンドルモータ駆動手段が作動して、スピンドルモータの回転数が所定の回転数に到達したことを回転数検出手段により検出された後、所定時間経過後に、スピンドルモータサーボ手段を動作停止させ、この後も、光ピックアップによって光ディスクからのデータ信号を読み続け、ＰＬＬ回路によって追従させながら復調手段で復調し、この復調されたデータをメモリに格納しようとする場合、復調されたデータ信号にエラーが多いと判断された場合、予め設定された回転数まで、光ディスクの回転数が低下しなくとも、スピンドルモータサーボ手段を再度動作させるように制御を行うシステムコントローラを備えている。
【００２４】
この構成によれば、復調されたデータ信号にエラーが多いと判断された場合、より確実に、データ信号を読み取るために、光ディスクの通常の慣性による読み込みを継続するのではなく、スピンドルモータサーボ手段を再起動し、スピンドルモータサーボが掛かった状態での読み取りを行うことでメモリに格納されるデータの量が不足することのないように対応することができる。
【００２５】
また、本発明は、スピンドルモータ駆動手段が作動して、スピンドルモータの回転数が所定の回転数に到達したことを回転数検出手段により検出された後、所定時間経過する前に、復調されたデータ信号にエラーが多いと判断された場合に、スピンドルモータサーボ手段を動作停止せず、そのまま駆動させたままとするように制御を行うシステムコントローラを備えている。
【００２６】
この構成によれば、スピンドルモータの回転数が所定の回転数に到達したことを回転数検出手段により検出された後、所定時間経過する前に、復調されたデータ信号にエラーが多いと判断された場合、スピンドルモータサーボ手段をＯＦＦせずに駆動させたままで、確実なデータ信号の読み取りを行うことにより、メモリに格納されるデータの量が不足することのないように対応することができる。
【００２７】
【発明の実施の形態】
以下、添付図面を参照しつつ、本発明の実施の形態について説明する。図１は本発明の一実施形態に係るＭＤ再生装置の構成を示すブロック図である。図１において、このＭＤ再生装置は、光ディスクとしてのミニディスク１を回転させるスピンドルモータ２と、ミニディスク１の情報を光学的に読み取り電気信号に変換してＲＦ信号を出力する光ピックアップ３と、この光ピックアップ３をミニディスク１の半径方向にステップ駆動させるスレッドモータ４と、スピンドルモータ２と光ピックアップ３とスレッドモータ４とを駆動させるドライバ回路５とを備えている。
【００２８】
前記光ピックアップ３は、レーザービームを間欠的に出射する発光素子と、この発光素子からの出射光をミニディスク１の記録面に導くためのコリメータレンズとビームスプリッタと対物レンズとから成る光学系と、ミニディスク１の読み出しトラックに対するレーザービームのトラッキングとフォーカシングをそれぞれ行うために対物レンズを位置制御する各アクチュエータと、ミニディスク１からの戻り光を検出して電気信号に変換するフォトディテクタ（何れも図示せず）などから構成されている。
【００２９】
前記ドライバ回路５は、スピンドルモータ２を駆動させるスピンドルモータ駆動回路５１と、スレッドモータ４や前記アクチュエータを駆動し光ピックアップ３を制御する光ピックアップ駆動回路５２とを備えている。スピンドルモータ駆動回路５１は、スピンドルモータ４をサーボ制御するスピンドルモータサーボ回路５１１と、スピンドルモータ２（ミニディスク１）の回転数を検出する回転数検出回路５１２とを有している。光ピックアップ駆動回路５２は、スレッドモータ４や前記アクチュエータをサーボ制御駆動し、光ピックアップ３をサーボ制御する光ピックアップサーボ回路５２１を有している。
【００３０】
また、このＭＤ再生装置は、光ピックアップ３からのＲＦ信号を増幅するＲＦアンプ６と、このＲＦアンプ６からのＲＦ信号を入力して所定の信号処理を行うデコーダＬＳＩ（大規模集積回路）７と、このデコーダＬＳＩ７で処理された情報を一時的に格納するショック・プルーフ・メモリ８と、デコーダＬＳＩ７から出力されたオーディオ信号を増幅してヘッドホン１０に供給するアンプ回路９と、装置全体を制御するシステムコントローラ１１と、装置の各部に電源を供給する電源回路１２と、電源電圧を検出する電源電圧検出回路１３と、装置の電源１４とを備えている。なおヘッドホン１０はスピーカであっても良い。
【００３１】
前記デコーダＬＳＩ７は、ＲＦアンプ６で増幅されたＲＦ信号に基づいてアドレス信号の抽出、主データ信号の復調、誤り訂正などの処理を行う復調手段としての信号処理回路７１と、ドライバ回路５内のスピンドルモータサーボ回路５１１や光ピックアップサーボ回路５２１に供給するサーボ制御信号をＲＦアンプ６より得られたサーボ信号に基づいて生成するサーボ制御信号生成回路７２と、ＲＦアンプ６からのデータ信号に基づいて再生クロックを生成して該再生クロックを制御することによりＲＦアンプ６からのデータ信号を読み取り可能とするためのＰＬＬ回路７３と、入力された情報信号を所定のフォーマットに従って時間軸伸長することで圧縮を解く音声伸長回路７４と、ショック・プルーフ・メモリ８を制御するメモリ制御回路７５と、音声伸長回路７４から出力された情報信号をＤ／Ａ変換するＤ／Ａコンバータ７６とを備えている。
【００３２】
ミニディスク１は、同心円状または螺旋状のトラックを有しており、音声／音楽データ等の情報信号は、前記トラックに沿ってデジタル記録されている。またミニディスク１には、音声／音楽データ等の主情報以外に、ディスクタイトル名、各トラックタイトル名、および音声／音楽データが格納されているメモリのアドレス情報等を含んだＵ−ＴＯＣ情報も記録されている。
【００３３】
ミニディスク１に記録された情報信号を再生する際、このＭＤ再生装置は、ミニディスク１をスピンドルモータ２によって一定の線速度あるいは一定の角速度で回転させると共に、光ピックアップ３をスレッドモータ４によってミニディスク１の半径方向にステップ駆動させる。そして、所定のトラックに位置決めされた光ピックアップ３から前記トラックに向けてレーザービームを照射し、その反射光の強弱変化を再び光ピックアップ３で検出することにより前記情報信号の読み取りを行う。
【００３４】
光ピックアップ３、スレッドモータ４、およびスピンドルモータ２の駆動制御は、全てドライバ回路５によって行っている。このドライバ回路５には、前述したように、スピンドルモータ駆動回路５１と光ピックアップ駆動回路５２が含まれている。
【００３５】
光ピックアップ３は、ミニディスク１から読み取った情報信号（圧縮データ）をＲＦアンプ６に送出する。ＲＦアンプ６は、前記情報信号を増幅してデコーダＬＳＩ７に出力すると共に、前記情報信号に含まれるサーボ信号に基づいてトラッキングエラー信号およびフォーカスエラー信号などのようなサーボ制御信号をサーボ制御信号生成回路７２で生成して、デコーダＬＳＩ７内のサーボ回路７７に送出する。
【００３６】
このデコーダＬＳＩ７内のサーボ回路７７は、前記サーボ制御信号やデコーダＬＳＩ７内の信号処理回路７１からのアドレス信号、およびマイクロコンピュータなどで実現されるシステムコントローラ１１からの制御信号に従って、ドライバ回路５を制御することで、トラッキング、フォーカシング、およびディスクスピンなどのような各種動作のサーボ制御を行っている。
【００３７】
また、デコーダＬＳＩ７内の信号処理回路７１は、ＲＦアンプ６で増幅されたＲＦ信号（情報信号）について、アドレス信号の抽出、主信号の復調、誤り訂正などの処理を施し、これらの処理が済んだ情報信号を、デコーダＬＳＩ７内のメモリ制御回路７５に送出する。このメモリ制御回路７５は、ショック・プルーフ・メモリ８に対する情報の書き込み、および読み出しを制御する手段であり、信号処理回路７１からの情報信号は、一旦、ショック・プルーフ・メモリ８に書き込まれる。この際の書き込みレートは、ミニディスク１の回転が  １．５倍速の場合、例えば、１．５×１．４Ｍビット／秒である。また、メモリ制御回路７５は、ショック・プルーフ・メモリ８から例えば、０．３Ｍビット／秒の読み出しレートで前記情報信号を読み出して、デコーダＬＳＩ７内の音声伸長回路７４に送出する。
【００３８】
このようにミニディスク１から読み出した前記情報信号をショック・プルーフ・メモリ８に書き込む速度と、ショック・プルーフ・メモリ８から音声伸長回路７４に前記情報信号を送出する速度との間には、この例の場合、１．５×１．４−０．３＝１．８Ｍビット／秒の差異がある。この処理速度の差によって、ショック・プルーフ・メモリ８には時間軸圧縮を解く前の前記情報信号が蓄積されることになる。
【００３９】
さらに、ショック・プルーフ・メモリ８は、ミニディスク１より読み出されたＵ−ＴＯＣ情報（ディスクタイトル名や各トラックタイトル名等）の格納も行っており、そのＵ−ＴＯＣ情報によって、例えば、ミニディスク１に記録されている音楽の各曲のスタート位置、エンド位置、あるいは時間情報などを得ることができる。
【００４０】
続いて、デコーダＬＳＩ７内の音声伸長回路７４は、入力された前記情報信号を所定のフォーマットに従って時間軸伸長することで圧縮を解き、この圧縮を解かれた情報信号をデコーダＬＳＩ７内のＤ／Ａコンバータ７６に送る。このＤ／Ａコンバータ７６では、圧縮を解かれた前記情報信号（デジタル信号）をデジタル／アナログ変換することで、音声／音楽データ（アナログ信号）を生成する。そして、アナログの前記音声／音楽データをアンプ回路９に供給することで、音声／音楽データの音量などを調整し、ヘッドホン１０を通じて使用者に音声／音楽データの再生出力を行う。
【００４１】
また、システムコントローラ１１では、電源電圧検出回路１３で検出した電源１４の電圧値を常時チェックしており、電源１４の電圧値がミニディスク１の再生動作に適しているか否かの確認を行ってから、電源回路１２に電力の供給を行っている。電源回路１２は、ＤＣ−ＤＣ変換回路などで構成されており、このＭＤ再生装置の各部に必要な電圧を供給している。なお、電源１４としては、携帯性が良く、長寿命のリチウムイオン充電池やＮｉ−ＭＨ充電池などを用いると良い。
【００４２】
図２は本実施形態のＭＤ再生装置の動作を説明するためのフローチャートである。以下、このフローチャートを参照してＭＤ再生装置の動作を説明する。
【００４３】
ＭＤ再生装置は、ミニディスク１を再生している状態にて、ステップＳ１においてショック・プルーフ・メモリ８に格納されているメモリ格納量を検出する。ここで、メモリ格納量が、新たにショック・プルーフ・メモリ８内にデータを追加する必要の有る最小設定値Ｒｍｉｎ  以上であることが確認された場合は、再度、ステップＳ１の処理に戻り、メモリ格納量が最小設定値Ｒｍｉｎ  よりも少なくまるまで、ミニディスク１の再生を続ける。
【００４４】
ステップＳ１において、メモリ格納量が最小設定値Ｒｍｉｎ  よりも少ないことが確認された場合、ステップＳ２に進む。ステップＳ２では、圧縮されてミニディスク１に書かれたデータの読み出しを開始するために、スピンドルモータ２の起動を、デコーダＬＳＩ７内のサーボ回路７７とドライバ回路５との制御によって行う。その後ステップＳ３では、起動されたスピンドルモータ２の回転が、つまり、ミニディスク１の回転がサーボに引き込めるまでの回転数に達しているか否かを、ドライバ回路５からデコーダＬＳＩ７への回転数検出信号ＦＧにて確認する。
【００４５】
ステップＳ３において、ミニディスク１の回転数がサーボに引き込めるまでの回転数に達していないと判断した場合は、所定の回転数に達するまで、そのまま待機し、所定の回転数に達したことが確認された場合は、ステップＳ４に移る。ステップＳ４では、光ピックアップ３のレーザーを点灯させ、更に、ステップＳ５にて、全サーボを起動し、線速度一定あるいは角速度一定でのデータ読み出しの準備を行う。
【００４６】
その後、ステップＳ６においては、ミニディスク１に書かれたデータの読み取りを開始する。次に、ステップＳ７においては、ミニディスク１の状態やミニディスク１への情報の記録時の条件などで、読み取ったデータにエラーが多いか否かを確認する。その読み取ったデータのエラー値がｅ以上の場合、間欠サーボに入ることなく、そのまま、サーボＯＮ状態にてデータを読むため、ステップＳ６に戻る。
【００４７】
ステップＳ７において、エラー値がｅ未満であると判断された場合は、ミニディスク１からのデータの読み取り状態が良好であるので、ステップＳ８に進む。ステップＳ８では、サーボ起動後の経過時間、つまり、データを読み始めてからの時間がｔ１以上となっているかどうかを確認し、まだ、ｔ１に達していない場合、ステップＳ６に戻る。
【００４８】
一方、ステップＳ８において、データを読み始めてからの時間がｔ１以上となっていることを検出した場合には、ステップＳ９に移る。ステップＳ９では、スピンドルサーボ（スピンドルモータサーボ回路５１１）のみをＯＦＦとし、その他のサーボはＯＮのままで、慣性によって回転しているミニディスク１より、ステップＳ１０において、引き続きデータの読み取りを行う。
【００４９】
ステップＳ１１では、ステップＳ１０において読み取ったデータにエラーが多いかどうかを確認し、エラー値がｅ以上の場合は、データの読み取りを確実に行うため、再度、ステップＳ５の処理に戻って、スピンドルサーボ（スピンドルモータサーボ回路５１１）を起動し、データの読み取りを続ける。
【００５０】
ステップＳ１１において、エラー値がｅ未満であると判断された場合は、ステップＳ１２に移り、慣性によって回転しているミニディスク１およびスピンドルモータ２の回転数が、規定値ｆＬ以上であることを確認する。もし、スピンドルモータ２の回転数が規定値ｆＬ未満であった場合は、回転数が下がってデータが読めなくならないように、ステップＳ５に戻り、スピンドルサーボ（スピンドルモータサーボ回路５１１）を再起動して確実にデータを読み出せるようにする。
【００５１】
ステップＳ１２において、ミニディスク１およびスピンドルモータ２の回転数が規定値ｆＬであると判断し、ミニディスク１からデータを読むためのデコーダＬＳＩ７内のＰＬＬ回路７３が充分追従できることを検出した場合は、ステップＳ１３において、ショック・プルーフ・メモリ８に格納されているメモリ格納量を検出する。ここで、メモリ格納量が、これ以上、ショック・プルーフ・メモリ８内にデータを追加する必要がないとする最大設定値Ｒｍａｘ  に未だ達していないと判断した場合は、ステップＳ１０に戻り、ミニディスク１からデータの読み取りを続ける。
【００５２】
ステップＳ１３において、メモリ格納量が最大設定値Ｒｍａｘ  以上と判断した場合は、ステップＳ１４において、全サーボをＯＦＦし、レーザーも消灯（ＯＦＦ）し、データの読み取りも中止し、完全な省エネルギーモードのサーボＯＦＦモードとする。その後、ステップＳ１に戻り、以後は、上記各ステップの処理を繰り返す。
【００５３】
図３は、本実施形態のＭＤ再生装置の動作を説明するためのタイムチャートである。図３において、Ｌ１はスピンドルモータ８の回転数（ミニディスク１の回転数）を示すライン、Ｌ２はスピンドルモータサーボ回路５１１の動作を示すライン、Ｌ３はスピンドルモータサーボ以外のサーボ回路の動作を示すライン、Ｌ４はレーザーの点灯／消灯を示すライン、Ｌ５はメモリ格納量を示すラインである。
【００５４】
以下、このタイムチャートを参照して、ＭＤ再生装置の時間的な動作を説明する。先ず、再生時のサーボＯＦＦ状態において、ショック・プルーフ・メモリ８のメモリ格納量が  Ｒｍｉｎに低下した時点でスピンドルモータ２を起動し、ミニディスク１の回転数を上げて行く。回転数がサーボ引き込みに必要なｆＳに達すると、レーザーを点灯すると共にサーボＯＮし、一定の回転数にて、ミニディスク１に書かれたデータの読み込みを開始する。
【００５５】
その後、期間ｔ１の間、サーボＯＮにおいての読み込みを継続し、その後、スピンドルモータサーボ回路５１１をＯＦＦする。スピンドルモータサーボ回路５１１がＯＦＦしても、ミニディスク１およびスピンドルモータ２は慣性によって回転するため、ラインＬ１で示すように回転数が徐々に低下して行くが、その状態にて、引き続き、レーザーを点灯させたままで、スピンドルモータサーボ以外のサーボ回路を動作させた状態にて、データを読んで行く。
【００５６】
期間ｔ２の経過後、ショック・プルーフ・メモリ８のメモリ格納量が  Ｒｍａｘとなった時点でレーザーを消灯し、且つ、スピンドルモータサーボ以外のサーボ回路も全てＯＦＦし、間欠サーボのサーボＯＦＦ状態モードとなり、更なる省電力モードとなる。なお、ショック・プルーフ・メモリ８のメモリ格納量が  Ｒｍａｘとなった時点では、通常はスピンドルモータ２の回転数はサーボ再起動となる下限のｆＬ以上である。このようにＭＤ再生装置は、以上説明したタイムチャートの動作を繰り返すことにより、省電力化を図っている。
【００５７】
なお、上記実施形態においては、携帯用のＭＤ再生装置を例に挙げて説明したが、本発明はＭＤ再生装置に限るものではなく、光ディスクから読み出した情報信号をメモリに格納しながら、前記メモリに対する書き込み速度よりも遅い速度で前記メモリから情報信号を読み出すことにより、前記メモリに情報信号を蓄積しつつ、光ディスクの再生を行う光ディスク再生装置に広く適用し得るものである。
【００５８】
【発明の効果】
以上のように本発明によれば、光ディスクを回転させるスピンドルモータの回転数が、所定の回転数に到達した後、所定時間経過後に前記スピンドルモータのサーボ手段を動作停止させ、この後も、前記光ディスクに記録された情報を復調できるように制御を行うシステムコントローラを備えたので、光ディスクを回転させるスピンドルモータの回転数が所定の回転数に到達すると、スピンドルモータのサーボ手段が動作停止され、これにより、光ディスクが慣性によって回転している間は、消費電力が少なくなり、省電力化を図ることができる。
【００５９】
また、本発明によれば、回転している光ディスクからデータ信号を読み出している時間、つまり、スピンドルモータサーボ手段のサーボＯＮ時間よりも短い時間だけ、光ディスクを一定回転させ、この後は、スピンドルモータサーボ手段をＯＦＦして、慣性にて光ディスクを回転させ、この回転数を回転数検出手段により検出しながら、ＲＦアンプからのデータ信号により再生クロックを生成し、この再生クロックを制御し、ＲＦアンプからのデータ信号をＰＬＬ回路によって追従させながら、光ディスクから連続的に、時間的に間隔が伸びて読み出されるデータ信号を復調手段で復調し続けることができるように構成したので、光ディスクを回転させるスピンドルモータの回転数が、所定の回転数に到達すると、スピンドルモータサーボ手段が動作停止され、光ディスクが慣性によって回転している間も、光ディスクからのデータ信号を復調し続けることができ、光ディスクが慣性によって回転している間は、消費電力が少なくなり、省電力化を図ることができる。
【００６０】
また、本発明によれば、光ディスクから読み出されたデータ信号をメモリに格納して行き、この格納量が所定量に達した場合に、通常の間欠サーボ動作と同様に、メモリに格納されたデータを読み出し、伸長して、音声／音楽信号にする回路以外の構成要素（光ピックアップ、ＲＦアンプ、サーボ制御信号生成手段、光ピックアップサーボ手段、その他サーボに関連する手段、ＰＬＬ回路）の動作を停止させることにより、消費電力の低減を図ることができる。
【００６１】
また、本発明によれば、この光ディスク再生装置を携帯用として使用した場合の携帯機器の姿勢などの何らかの原因により、メモリに格納されるデータの格納量が所定量に達しないうちに、光ディスクの回転数が下がってしまい、ＰＬＬ回路のロジックレンジを超えてしまうことによるデータ読み込み不可動作を防ぎ、確実なメモリへのデータの格納を行なうことができるようになる。
【００６２】
また、本発明によれば、復調されたデータ信号にエラーが多いと判断された場合、より確実に、データ信号を読み取るために、光ディスクの通常の慣性による読み込みを継続するのではなく、スピンドルモータサーボ手段を再起動し、スピンドルモータサーボが掛かった状態での読み取りを行うことでメモリに格納されるデータの量が不足することのないように対応することができる。
【００６３】
また、本発明によれば、スピンドルモータの回転数が所定の回転数に到達したことを回転数検出手段により検出された後、所定時間経過する前に、復調されたデータ信号にエラーが多いと判断された場合、スピンドルモータサーボ手段をＯＦＦせずに駆動させたままで、確実なデータ信号の読み取りを行うことにより、メモリに格納されるデータの量が不足することのないように対応することができる。
【図面の簡単な説明】
【図１】本発明の一実施形態に係るＭＤ再生装置の構成を示すブロック図である。
【図２】前記実施形態のＭＤ再生装置の動作を説明するためのフローチャートである。
【図３】前記実施形態のＭＤ再生装置の動作を説明するためのタイムチャートである。
【符号の説明】
１    ミニディスク（光ディスク）
２    スピンドルモータ
３    光ピックアップ
６    ＲＦアンプ
８    ショック・プルーフ・メモリ
１１    システムコントローラ
１４    電源
５１    スピンドルモータ駆動回路（スピンドルモータ駆動手段）
７１    信号処理回路（復調手段）
７２    サーボ制御信号生成回路（サーボ制御信号生成手段）
７３    ＰＬＬ回路
７４    音声伸長回路（伸長処理手段）
５１１    スピンドルモータサーボ回路（スピンドルモータサーボ手段）
５１２    回転数検出回路（回転数検出手段）
５２１    光ピックアップサーボ回路（光ピックアップサーボ手段）
【図１】
2005004896.tif 000003
【図２】
2005004896.tif 000004
【図３】
2005004896.tif 000005